(57)【要約】      （修正有）【課題】  簡易な構成で確実に衣服を掛けることのできる衣服用ハンガーを提供しようとする。【解決手段】  従来の衣服を掛けることをできる衣服用ハンガーにかわって、フック部１０と、中央部を前記フック部１０の下部に連結して左右に拡がり衣服の肩部を掛けることをできる部分を持つ肩掛部２０と、前記肩掛部２０の下方に位置し前記肩掛部２０に端部を連結し水平に伸びた棒状部である横桟部３０と、前記横桟部３０と前記肩掛部２０とに挟まれて位置し水平に延びた棒状部である挟み棒部４０と、上端部を前記肩掛部２０に屈曲可能に連結し下端部を前記挟み棒部４０に屈曲可能に連結し中間部が屈曲可能になった１対の連結部５０と、１対の前記連結部５０の前記中間部の離間距離を変化させることをできる固定部６０と、を備えたものとした。【選択図】    図１
2006223499.tif 000002
【特許請求の範囲】
【請求項１】
衣服を掛けることをできる衣服用ハンガーであって、
上部が鉤状に湾曲したフック部と、
中央部を前記フック部の下部に連結して左右に拡がり衣服の肩部を掛けることをできる部分を持つ肩掛部と、
前記肩掛部の下方に位置し前記肩掛部に端部を連結し水平に伸びた棒状部である横桟部と、
前記横桟部と前記肩掛部とに挟まれて位置し前記横桟部に沿って伸びた棒状部である挟み棒部と、
上端部を前記肩掛部に屈曲可能に連結し下端部を前記挟み棒部に屈曲可能に連結し中間部が屈曲可能になった１対の連結部と、
１対の前記連結部の前記中間部の離間距離を変化させることをできる固定部と、
を備え、
衣服が前記挟み棒部と前記横桟部とに挟まれた姿勢で、前記固定部が前記離間距離を所定の距離に固定することをできる、
ことを特徴とする衣服用ハンガー。
【請求項２】
前記固定部が１対の前記連結部の一方の前記中間部に連結し被係合部を持つ第一固定部と１対の前記連結部の他方の前記中間部に連結し前記被係合部に係合可能な係合部を持つ第二固定部とを有する、
ことを特徴とする請求項１に記載の衣服用ハンガー。
【請求項３】
前記固定部が１対の前記連結部の一方の前記中間部に連結し被係合部を持つ第一固定部と１対の前記連結部の他方の前記中間部に連結し前記被係合部に係合可能な直列に並んだ複数の係合部を持つ第二固定部とを有する、
ことを特徴とする請求項１に記載の衣服用ハンガー。
【請求項４】
前記被係合部が窪み部であって、
前記係合部が前記窪み部に嵌まる固まり部である、
ことを特徴とする請求項２または請求項３のうちのひとつに記載の衣服用ハンガー。
【請求項５】
衣服を掛けることをできる衣服用ハンガーであって、
上部が鉤状に湾曲したフック部と、
中央部を前記フックの下部に連結して左右に拡がり衣服の肩部を掛けることをできる部分を持つ肩掛部と、
前記肩掛部の下方に位置し前記肩掛部に端部を連結し水平に伸びた棒状部である横桟部と、
前記横桟部と前記肩掛部とに挟まれて位置し前記肩掛部または前記横桟部に連結し前記横桟部に沿って伸びた棒状部である挟み棒部と、
上端部を前記肩掛部に連結し下端部を前記挟み棒部に当接する１対の押さえ部と、
を備え、
前記挟み棒部と前記横竿部とが衣服を挟んだ姿勢で、前記押さえ部が前記挟み棒部を前記横桟部に押さえつける、
ことを特徴とする衣服用ハンガー。
【請求項６】
前記挟み棒部が窪み部を持ち、
前記押さえ部の下端部が前記窪み部に嵌まる、
ことを特徴とする請求項５に記載の衣服用ハンガー。
【請求項７】
前記挟み棒部が左右方向に並んだ複数の窪み部を持ち、
前記押さえ部の下端部が前記窪み部に嵌まる、
ことを特徴とする請求項５に記載の衣服用ハンガー。
【請求項８】
衣服を掛けることをできる衣服用ハンガーであって、
上部が鉤状に湾曲したフック部と、
中央部を前記フックの下部に連結して左右に拡がり衣服の肩部を掛けることをできる部分を持つ肩掛部と、
前記肩掛部の下方に位置し前記肩掛部に端部を連結し水平に伸びた棒状部である横桟部と、
前記横桟部と前記肩掛部とに挟まれて位置し前記横桟部に沿って伸びた棒状部である挟み棒部と、
上端部を前記肩掛部に屈曲可能に連結し下端部を前記挟み棒部に屈曲可能に連結し中間部が屈曲可能になった１対の連結部と、
上端部を前記肩掛部に連結し下端部を前記挟み棒部に当接する１対の押さえ部と、
を備え、
前記挟み棒部と前記横竿部とが衣服を挟んだ姿勢で、前記押さえ部が前記挟み棒部を前記横桟部に押さえつける、
ことを特徴とする衣服用ハンガー。
【請求項９】
前記挟み棒部が窪み部を持ち、
前記押さえ部の下端部が前記窪み部に嵌まる、
ことを特徴とする請求項８に記載の衣服用ハンガー。
【請求項１０】
前記挟み棒部が左右方向に並んだ複数の窪み部を持ち、
前記押さえ部の下端部が前記窪み部に嵌まる、
ことを特徴とする請求項８に記載の衣服用ハンガー。
【発明の詳細な説明】
【技術分野】
【０００１】
本発明は、衣服を掛けることをできる衣服用ハンガーに係る。特に、衣服を掛ける構造に特徴のある衣服用ハンガーに関する。
【背景技術】
【０００２】
衣服を掛ける衣服用ハンガーは、フック部と肩掛部と横桟部とで構成される。
フック部は、上部が鉤状に湾曲した部分である。
肩掛部は、中央部を前記フック部の下部に連結して左右に拡がり衣服の上衣の肩部を掛けることをできる部分である。
横桟部は、肩掛部下方に位置し肩掛部に端部を連結し前記横桟部に沿って伸びた棒状部である。
使用者が、衣服のズボン等を横桟部に掛けると、しばしば衣服のズボン等が横桟部からずり落ちることがある。
この対策として幾つかの構造が提案されているが、構造が複雑で大量生産に向いていない。
【０００３】
【特許文献１】特開平１０−９９１８２号
【特許文献２】特開２０００−２６２３８９号
【特許文献１】特開２００２−１３６４１８号
【発明の開示】
【発明が解決しようとする課題】
【０００４】
本発明は以上に述べた問題点に鑑み案出されたもので、簡易な構成で確実に衣服を掛けることのできる衣服用ハンガーを提供しようとする。
【課題を解決するための手段】
【０００５】
上記目的を達成するため、本発明に係る衣服を掛けることをできる衣服用ハンガーを、
上部が鉤状に湾曲したフック部と、中央部を前記フック部の下部に連結して左右に拡がり衣服の肩部を掛けることをできる部分を持つ肩掛部と、前記肩掛部の下方に位置し前記肩掛部に端部を連結し水平に伸びた棒状部である横桟部と、前記横桟部と前記肩掛部とに挟まれて位置し前記横桟部に沿って伸びた棒状部である挟み棒部と、上端部を前記肩掛部に屈曲可能に連結し下端部を前記挟み棒部に屈曲可能に連結し中間部が屈曲可能になった１対の連結部と、１対の前記連結部の前記中間部の離間距離を変化させることをできる固定部と、を備え、衣服が前記挟み棒部と前記横桟部とに挟まれた姿勢で、前記固定部が前記離間距離を所定の距離に固定することをできる、ものとした。
【０００６】
上記本発明の構成により、フック部が上部が鉤状に湾曲し、肩掛部が中央部を前記フック部の下部に連結して左右に拡がり衣服の肩部を掛けることをできる部分を持ち、横桟部が前記肩掛部の下方に位置し前記肩掛部に端部を連結し水平に伸びた棒状部であり、挟み棒部が前記横桟部と前記肩掛部とに挟まれて位置し前記横桟部に沿って伸びた棒状部であり、１対の連結部が上端部を前記肩掛部に屈曲可能に連結し下端部を前記挟み棒部に屈曲可能に連結し中間部が屈曲可能になり、固定部が１対の前記連結部の前記中間部の離間距離を変化させて、衣服が前記挟み棒部と前記横桟部とに挟まれた姿勢で、前記固定部が前記離間距離を所定の距離に固定することをできるので、衣服の上衣を肩掛部に掛けることをでき、前記挟み棒と前記横桟部とに挟んだ衣服がずり落ちない様にすることをできる。
【０００７】
以下に、本発明のいくつかの実施形態を説明する。本発明は、以下に記載の実施形態のいずれか、またはそれらの中の二つ以上が組合わされた態様を含む。
【０００８】
さらに、本発明の実施形態に係る衣服用ハンガーは、前記固定部が１対の前記連結部の一方の前記中間部に連結し被係合部を持つ第一固定部と１対の前記連結部の他方の前記中間部に連結し前記被係合部に係合可能な係合部を持つ第二固定部とを有する。
上記実施形態の構成により、被係合部を持つ第一固定部が１対の前記連結部の一方の前記中間部に連結し、前記被係合部に係合可能な係合部を持つ第二固定部が１対の前記連結部の他方の前記中間部に連結するので、係合部を被係合部に係合させて前記離間距離を所定の距離に固定できる。
【０００９】
さらに、本発明の実施形態に係る衣服用ハンガーは、前記固定部が１対の前記連結部の一方の前記中間部に連結し被係合部を持つ第一固定部と１対の前記連結部の他方の前記中間部に連結し前記被係合部に係合可能な直列に並んだ複数の係合部を持つ第二固定部とを有する。
上記実施形態の構成により、被係合部を持つ第一固定部が１対の前記連結部の一方の前記中間部に連結し、前記被係合部に係合可能な直列に並んだ複数の係合部を持つ第二固定部が１対の前記連結部の他方の前記中間部に連結するので、複数の係合部のひとつを被係合部に係合させて前記離間距離を所定の距離に固定できる。
【００１０】
さらに、本発明の実施形態に係る衣服用ハンガーは、前記被係合部が窪み部であって、
前記係合部が前記窪み部に嵌まる固まり部である。
上記実施形態の構成により、固まり部が窪み部に係合するので、前記離間距離を所定の距離に確実に固定できる。
【００１１】
上記目的を達成するため、本発明に係る衣服を掛けることをできる衣服用ハンガーを、
上部が鉤状に湾曲したフック部と、中央部を前記フックの下部に連結して左右に拡がり衣服の肩部を掛けることをできる部分を持つ肩掛部と、前記肩掛部の下方に位置し前記肩掛部に端部を連結し水平に伸びた棒状部である横桟部と、前記横桟部と前記肩掛部とに挟まれて位置し前記肩掛部または前記横桟部に連結し前記横桟部に沿って伸びた棒状部である挟み棒部と、上端部を前記肩掛部に連結し下端部を前記挟み棒部に当接する１対の押さえ部と、を備え、前記挟み棒部と前記横竿部とが衣服を挟んだ姿勢で、前記押さえ部が前記挟み棒部を前記横桟部に押さえつける、ものとした。
【００１２】
上記本発明の構成により、フック部が上部が鉤状に湾曲し、肩掛部が中央部を前記フックの下部に連結して左右に拡がり衣服の肩部を掛けることをできる部分を持ち、横桟部が前記肩掛部の下方に位置し前記肩掛部に端部を連結し水平に伸びた棒状部であり、挟み棒部が前記横桟部と前記肩掛部とに挟まれて位置し前記肩掛部または前記横桟部に連結し前記横桟部に沿って伸びた棒状部であり、１対の押さえ部が下端部を前記挟み棒部に当接し上端部を前記肩掛部に連結し、前記挟み棒部と前記横竿部とが衣服を挟んだ姿勢で、前記押さえ部が前記挟み棒部を前記横桟部に押さえつけるので、衣服の上衣を肩掛部に掛けることをでき、前記挟み棒と前記横桟部とに挟んだ衣服がずり落ちない様にすることをできる。
【００１３】
以下に、本発明のいくつかの実施形態を説明する。本発明は、以下に記載の実施形態のいずれか、またはそれらの中の二つ以上が組合わされた態様を含む。
【００１４】
さらに、本発明の実施形態に係る衣服用ハンガーは、前記挟み棒部が窪み部を持ち、
前記押さえ部の下端部が前記窪み部に嵌まる。
上記実施形態の構成により、押さえ部の下端部が前記挟み棒部の窪み部に嵌まるので、前記押さえ部が挟み棒部を確実に押さえつけて、衣服がずり落ちない様にすることをできる。
【００１５】
さらに、本発明の実施形態に係る衣服用ハンガーは、前記挟み棒部が左右方向に並んだ複数の窪み部を持ち、前記押さえ部の下端部が前記窪み部に嵌まる。
上記実施形態の構成により、押さえ部の下端部が前記挟み棒部の複数の窪み部のひとつに嵌まるので、前記押さえ部が挟み棒部を確実に押さえつけて、衣服がずり落ちない様にすることをできる。
【００１６】
上記目的を達成するため、本発明に係る衣服を掛けることをできる衣服用ハンガーを、
上部が鉤状に湾曲したフック部と、中央部を前記フックの下部に連結して左右に拡がり衣服の肩部を掛けることをできる部分を持つ肩掛部と、前記肩掛部の下方に位置し前記肩掛部に端部を連結し水平に伸びた棒状部である横桟部と、前記横桟部と前記肩掛部とに挟まれて位置し前記横桟部に沿って伸びた棒状部である挟み棒部と、上端部を前記肩掛部に屈曲可能に連結し下端部を前記挟み棒部に屈曲可能に連結し中間部が屈曲可能になった１対の連結部と、
上端部を前記肩掛部に連結し下端部を前記挟み棒部に当接する１対の押さえ部と、を備え、前記挟み棒部と前記横竿部とが衣服を挟んだ姿勢で、前記押さえ部が前記挟み棒部を前記横桟部に押さえつける、ものとした。
【００１７】
上記本発明の構成により、フック部の上部が鉤状に湾曲し、肩掛部が中央部を前記フックの下部に連結して左右に拡がり衣服の肩部を掛けることをできる部分を持ち、横桟部が前記肩掛部の下方に位置し前記肩掛部に端部を連結し水平に伸びた棒状部であり、挟み棒部が前記横桟部と前記肩掛部とに挟まれて位置し前記横桟部に沿って伸びた棒状部であり、１対の連結部が上端部を前記肩掛部に屈曲可能に連結し下端部を前記挟み棒部に屈曲可能に連結し中間部が屈曲可能になり、１対の押さえ部が上端部を前記肩掛部に連結し下端部を前記挟み棒部に当接し、前記挟み棒部と前記横竿部とが衣服を挟んだ姿勢で、前記押さえ部が前記挟み棒部を前記横桟部に押さえつけるので、衣服の上衣を肩掛部に掛けることをでき、前記挟み棒と前記横桟部とに挟んだ衣服がずり落ちない様にすることをできる。
【００１８】
以下に、本発明のいくつかの実施形態を説明する。本発明は、以下に記載の実施形態のいずれか、またはそれらの中の二つ以上が組合わされた態様を含む。
【００１９】
さらに、本発明の実施形態に係る衣服用ハンガーは、前記挟み棒部が窪み部を持ち、前記押さえ部の下端部が前記窪み部に嵌まる。
上記実施形態の構成により、押さえ部の下端部が前記挟み棒部の窪み部に嵌まるので、前記押さえ部が挟み棒部を確実に押さえつけて、衣服がずり落ちない様にすることをできる。
【００２０】
さらに、本発明の実施形態に係る衣服用ハンガーは、前記挟み棒部が左右方向に並んだ複数の窪み部を持ち、前記押さえ部の下端部が前記窪み部に嵌まる。
上記実施形態の構成により、押さえ部の下端部が前記挟み棒部の複数の窪み部のひとつに嵌まるので、前記押さえ部が挟み棒部を確実に押さえつけて、衣服がずり落ちない様にすることをできる。
【発明の効果】
【００２１】
以上説明したように本発明に係る衣服を掛けることをできる衣服用ハンガーは、その構成により、以下の効果を有する。
フック部と肩掛部と横桟部とで構成される衣服用ハンガーにおいて、前記肩掛部と前記横桟部との間に前記挟み棒部を設け、中間部で屈曲可能になった１対の前記連結部の上端部を前記肩掛部に屈曲可能に連結し、下端部を前記挟み棒部に屈曲可能に連結し、前記固定部で中間部の離間距離を変化させて、衣服が前記挟み棒と前記横桟部とに挟まれた姿勢で、前記離間距離を所定の距離に固定することをできる様にしたので、衣服の上衣を前記肩掛部に掛けることをでき、前記挟み棒と前記横桟部とに挟んだ衣服がずり落ちない様にすることをできる。
また、前記固定部を前記第一固定部の前記被係合部と前記第二固定部の前記係合部とを係合する構造としたので、前記係合部を前記被係合部に係合させて前記離間距離を所定の距離に固定できる。
また、前記固定部を前記第一固定部の前記被係合部と前記第二固定部の直列に並んだ複数の前記係合部のひとつとを係合する構造としたので、複数の前記係合部のひとつを前記被係合部に係合させて前記離間距離を所定の距離に固定できる。
また、前記被係合部を窪みとし、前記係合部を固まりとしたので、前記固まり部が前記窪み部に嵌まり、前記離間距離を所定の距離に確実に固定できる。
前記フック部と前記肩掛部と前記横桟部とで構成される衣服用ハンガーにおいて、前記肩掛部と前記横桟部との間に前記挟み棒部を設け、前記肩掛部に連結した１対の前記押さえ部の下端部が前記挟み棒部を前記横桟部に押し付ける様にしたので、衣服の上衣を前記肩掛部に掛けることをでき、前記挟み棒と前記横桟部とに挟んだ衣服がずり落ちない様にすることをできる。
また、前記押さえ部の下端部が前記挟み棒部の前記窪み部に嵌まるので、前記押さえ部が前記挟み棒部を確実に押さえつけて、衣服がずり落ちない様にすることをできる。
前記フック部と前記肩掛部と前記横桟部とで構成される衣服用ハンガーにおいて、前記肩掛部と前記横桟部との間に前記挟み棒部を設け、中間部で屈曲可能になった１対の前記連結部の上端部を前記肩掛部に屈曲可能に連結し、下端部を前記挟み棒部に屈曲可能に連結し、前記肩掛部に連結した１対の押さえ部の下端部が前記挟み棒部を前記横桟部に押し付ける様にしたので、衣服の上衣を前記肩掛部に掛けることをでき、前記挟み棒と前記横桟部とに挟んだ衣服がずり落ちない様にすることをできる。
また、前記押さえ部の下端部が前記挟み棒部の前記窪み部に嵌まるので、前記押さえ部が前記挟み棒部を確実に押さえつけて、衣服がずり落ちない様にすることをできる。
また、前記押さえ部の下端部が前記挟み棒部の複数の前記窪み部のひとつに嵌まるので、前記押さえ部が前記挟み棒部を段階的に確実に押さえつけて、衣服がずり落ちない様にすることをできる。
従って、簡易な構成で確実に衣服を掛けることのできる衣服用ハンガーを提供できる。
【発明を実施するための最良の形態】
【００２２】
以下、本発明を実施するための最良の形態を、図面を参照して説明する。なお、各図において、共通する部分には同一の符号を付し、重複した説明を省略する。
【００２３】
最初に、本発明の第一の実施形態に係る衣服用ハンガーを、図を基に、説明する。
図１は、本発明の第一の実施形態に係る衣服用ハンガーの正面図である。図２は、本発明の第一の実施形態に係る衣服用ハンガーのＡ−Ａ断面図である。
説明の便宜上、ハンガーに掛けた衣服の胸部の向きを前方と、背部の向きを後方と、右袖の向きを右方と、左袖の向きを左方と呼称する。
【００２４】
衣服用ハンガーは、衣服を掛けることのできるものであり、フック部１０と肩掛部２０と横桟部３０と挟み棒部４０と１対の連結部５０と固定部６０とで構成される。
例えば、衣服用ハンガーは、射出成形により一体に成形された樹脂性のものである。
【００２５】
フック部１０は、上部が鉤状に湾曲した部分である。
フック部１０の下端部が肩掛部２０に連結している。
【００２６】
肩掛部２０は、中央部から左右に拡がり衣服の肩部を掛ける部分２１をもつ部分である。
肩掛部２０の中央部が、フック部１０の下端部に連結している。
肩掛部２０の左右の端部が、横桟部３０の端部に連結している。
【００２７】
横桟部３０は、肩掛部２０の下方に位置し水平に伸びた棒状部である。
横桟部３０の端部が、肩掛部２０の端部に連結する。
例えば、横桟部３０の左右の端部が、肩掛部２０の左右の端部に各々連結する。
【００２８】
挟み棒部４０は、横桟部３０と肩掛部２０とに挟まれて位置し、横桟部３０に沿って伸びた棒状部である。
挟み棒部４０が下がると、挟み棒部４０が横桟部３０に当接する。
【００２９】
連結部５０は、上端部を肩掛部２０に屈曲可能に連結し、下端部を挟み棒部４０に屈曲可能に連結し、中間部が屈曲可能になった部分である。
連結部５０は、上連結部５１と下連結部５２とで構成される。
上連結部５１の下端部と下連結部５２の上端部とが連結し、連結部５０の中間部を形つくる。
上連結部５１の上端部が肩掛部２０の下側に連結する。上連結部５１の上端部は細くなっており、その結果、連結部５０が連結する部分で屈曲可能になる。
下連結部５２の下端部が挟み棒部４０の上側に連結する。下連結部５２の下端部が細くなっており、その結果、連結部５０が連結する部分で屈曲可能になる。
例えば、１対の連結部の上端部の離間距離と下端部の離間距離が、中間部の離間距離Ｌよりも小さい。１対の連結部５０の中間部を接近させると、挟み棒部４０が横桟部３０に接近する。１対の連結部５０の中間部を離間させると、挟み棒部４０が横桟部３０から離れる。
【００３０】
固定部６０は、１対の連結部５０の中間部の離間距離Ｌを変化させることをできる部分である。
衣服が挟み棒４０と横桟部３０とに挟まれた姿勢で、固定部６０が離間距離Ｌを所定の距離に固定することをできる。
例えば、固定部６０は、第一固定部６１と第二固定部６２とで構成される。
第一固定部６１は、１対の連結部５０の一方の中間部に連結し、被係合部６３を持つ部分である。
第二固定部６２は、１対の連結部５０の他方の中間部に連結し、被係合部６３に係合可能な係合部６４を持つ部分である。第二固定部６２は、１対の連結部５０の他方の中間部に連結し被係合部６３に係合可能な直列に並んだ複数の係合部６４を持つ部分であってもよい。
例えば、被係合部６３は、第一固定部６１の自由端部に設けられ下に向いた爪状の部分である。係合部は、第二固定部６２の側面に設けられ上に向いた溝である。爪状の部分が溝のひとつに噛み合う。
【００３１】
１対の連結部５０の中間部を接近させる。挟み棒部４０を横桟部３０に当接し、第一固定部６１の被係合部６３が第二固定部６２の係合部６４に係合する。
第一固定部６１の被係合部６３が第二固定部６２の係合部６４に係合すると、１対の連結部５０の中間部の離間距離が所定の距離に固定される。
第一固定部６１の被係合部６３と第二固定部６２の係合部６４との係合を解除し、連結部５０を中間部で屈曲させると、挟み棒部４０と横桟部３０とが離れる。
【００３２】
次に、本発明の第二の実施形態に係る衣服用ハンガーを、図を基に、説明する。
図３は、本発明の第二の実施形態に係る衣服用ハンガーの正面図である。図４は、本発明の第二の実施形態に係る衣服用ハンガーのＢ−Ｂ断面図である。
【００３３】
衣服用ハンガーは、衣服を掛けることのできるものであり、フック部１０と肩掛部２０と横桟部３０と挟み棒部４０と１対の連結部５０と固定部６０とで構成される。
フック部１０と肩掛部２０と横桟部３０と挟み棒部４０と１対の連結部５０の構成は、第一の実施形態に係る衣服用ハンガーのものと同じなので、説明を省略する。
【００３４】
固定部６０は、１対の連結部５０の中間部の離間距離を変化させることをできる部分である。
衣服が挟み棒部４０と横桟部３０とに挟まれた姿勢で、固定部６０が離間距離Ｌを所定の距離に固定することをできる。
例えば、固定部６０は、第一固定部６１と第二固定部６２とで構成される。
第一固定部６１は、１対の連結部５０の一方の中間部に連結し被係合部６３を持つ部分である。
第二固定部６２は、１対の連結部５０の他方の中間部に連結し被係合部６３に係合可能な係合部６４を持つ部分である。第二固定部６２は、１対の連結部５０の他方の中間部に連結し被係合部６３に係合可能な直列に並んだ複数の係合部６４を持つ部分であってもよい。
例えば、被係合部６３は、第一固定部６１の自由端部に設けられ後ろに向いた爪状の部分である。係合部６４は、第二固定部６２の側面に設けられ前に向いた溝である。爪状の部分が溝に噛みあう。
【００３５】
次に、本発明の第三の実施形態に係る衣服用ハンガーを、図を基に、説明する。
図５は、本発明の第三の実施形態に係る衣服用ハンガーの正面図である。図６は、本発明の第三の実施形態に係る衣服用ハンガーのＣ−Ｃ断面図である。
【００３６】
衣服用ハンガーは、衣服を掛けることのできるものであり、フック部１０と肩掛部２０と横桟部３０と挟み棒部４０と１対の連結部５０と固定部６０とで構成される。
フック部１０と肩掛部２０と横桟部３０と挟み棒部４０と１対の連結部５０の構成は、第一の実施形態に係る衣服用ハンガーのものと同じなので、説明を省略する。
【００３７】
固定部６０は、１対の連結部５０の中間部の離間距離を変化させることをできる部分である。
衣服が挟み棒部４０と横桟部３０とに挟まれた姿勢で、固定部６０が離間距離を所定の距離に固定することをできる。
例えば、固定部６０は、第一固定部６１と第二固定部６２とで構成される。
第一固定部６１は、１対の連結部５０の一方の中間部に連結し被係合部６３を持つ部分である。
第二固定部６２は、１対の連結部５０の他方の中間部に連結し被係合部６３に係合可能な係合部６４を持つ部分である。第二固定部６２は、１対の連結部５０の他方の中間部に連結し被係合部６３に係合可能な直列に並んだ複数の係合部６４を持つ部分であってもよい。
被係合部６３が窪み部であって、係合部６４が窪み部に嵌まる固まり部である。
例えば、被係合部６３は、第一固定部６１に設けられ前方向に開口を持った窪み部である。係合部６４は、第二固定部６２に左右方向に連なって設けられた複数の固まり部である。例えば、固まり部は、第二固定部６２に固定された円錐形である。固まり部が、窪み部に嵌まる。
【００３８】
次に、本発明の第一乃至第三の実施形態に係る衣服用ハンガーの作用を説明する。
衣服を、挟み棒部４０と横桟部３０との間に通す。
挟み棒部４０を横桟部３０に押し付ける。
第一固定部６１の被係合部６３に第二固定部６１の係合部６４を係合させる。衣服が挟み棒部４０と横桟部３０とからずり落ちなくなる。
第一固定部６１の被係合部６３を第二固定部６１の係合部６４から外し、挟み棒部４０を横桟部３０から離す。衣服を外すことをできる。
【００３９】
次に、本発明の第四の実施形態に係る衣服用ハンガーを、図を基に、説明する。
図７は、本発明の第四の実施形態に係る衣服用ハンガーの正面図である。図８は、本発明の第四の実施形態に係る衣服用ハンガーの部分正面図である。
【００４０】
衣服用ハンガーは、衣服を掛けることのできるものであり、フック部１０と肩掛部２０と横桟部３０と挟み棒部４０と１対の押さえ部７０とで構成される。
フック部１０と肩掛部２０と横桟部３０との構成は、第一の実施形態に係る衣服用ハンガーのものと同じなので、説明を省略する。
【００４１】
挟み棒部４０は、横桟部３０と肩掛部２０とに挟まれて位置し、肩掛部２０または横桟部３０に連結し水平に伸びた棒状部である。
例えば、挟み部棒４０の端部が、横桟部３０に連結する。
例えば、挟み部棒４０は、左右１対の挟み棒部に分かれて横桟部３０に連結する。
例えば、挟み棒部が窪み部を持つ。
例えば、挟み棒部が左右方向に並んだ複数の窪み部を持つ。
【００４２】
押さえ部７０は、上端部を肩掛部２０に連結し下端部を挟み棒部４０に当接する部分である。
押さえ部７０の上端部が、細くなり、容易に屈曲する。
例えば、押さえ部７０の下端部が、挟み棒部４０の窪み部４１に嵌まる。
【００４３】
次に、本発明の第四の実施形態に係る衣服用ハンガーの作用を説明する。
図８に、押さえ部７０の下端部７１と挟み棒部４０の窪み部４１との係合の様子を示している。
衣服を挟み棒部４０と横桟部３０との間にいれる。
押さえ部７０が傾いている状態から立っている状態に変化すると、押さえ部７０の下端部７１が、挟み部棒４０の窪み部４１に嵌まり、挟み部棒４０を横桟部３０に押し付ける。その結果、衣服がずれ落ちなくなる。
押さえ部７０の下端部７１を挟み棒部４０の窪み部４１から外す。
挟み棒部４０を横桟部３０から離すと、衣服が外れる。
【００４４】
次に、本発明の第五の実施形態に係る衣服用ハンガーを、図を基に説明する。
図９は、本発明の第五の実施形態に係る衣服用ハンガーの正面図である。
【００４５】
衣服用ハンガーは、衣服を掛けることのできるものであり、フック部１０と肩掛部２０と横桟部３０と挟み棒部４０と１対の連結部５０と１対の押さえ部７０とで構成される。
フック部１０と肩掛部２０と横桟部３０との構成は、第一の実施形態に係る衣服用ハンガーのものと同じなので、説明を省略する。
【００４６】
挟み棒部４０は、横桟部３０と肩掛部２０とに挟まれて位置し、水平に伸びた棒状部である。
挟み棒部４０が下がると、挟み棒部４０が横桟部３０に当接する。
挟み棒部４０の中央部が、１対の連結部５０の下端部に連結する。
例えば、挟み棒部が端部に窪み部４１を持つ。
例えば、挟み棒部４０が左右方向に並んだ複数の窪み部４１を持つ。
【００４７】
連結部５０は、上端部を肩掛部２０に屈曲可能に連結し、下端部を挟み棒部４０に屈曲可能に連結し、中間部が屈曲可能になった部分である。
連結部５０は、上連結部５１と下連結部５２とで構成される。
上連結部５１の下端部と下連結部５２の上端部とが連結し、連結部５０の中間部を形つくる。
上連結部５１の上端部が肩掛部２０の下側に連結する。上連結部５１の上端部は細くなっており、その結果、連結部５０が連結する部分で屈曲可能になる。
下連結部５２の下端部が挟み棒部４０の上側に連結する。上連結部５１の上端部が細くなっており、その結果、連結部５０が連結する部分で屈曲可能になる。
例えば、１対の連結部の上端部の離間距離と下端部の離間距離が、中間部の離間距離よりも小さい。１対の連結部５０の中間部を接近させると、挟み棒部４０が横桟部３０に接近する。１対の連結部５０の中間部を離間させると、挟み棒部４０が横桟部３０から離れる。
【００４８】
押さえ部７０は、上端部を肩掛部２０に連結し下端部を挟み棒部４０に当接する部分である。
押さえ部７０の上端部が細くなり、その結果、押さえ部７０が連結部で容易に屈曲する。
例えば、押さえ部７０の下端部が、挟み棒部４０の窪み部４１に嵌まる。
【００４９】
次に、本発明の第五の実施形態に係る衣服用ハンガーの作用を説明する。
挟み棒部４０が、連結部５０に支持されて、肩掛部２０と横桟部３０との間に位置する。
連結部５０の中間部の離間距離が変化すると、挟み棒部４０の上下位置が変化する。
衣服を挟み棒部４０と横桟部３０とに挟んで、挟み棒部４０を下げる。
１対の押さえ部７０の下端部を、挟み棒部４０の窪み部４１に嵌める。
衣服が、挟み棒部４０と横桟部３０とに挟まれて、ずり落ちなくなる。
押さえ部７０の下端部７１を挟み棒部４０の窪み部４１から外す。押さえ部７０を上げると、衣服をはずすことをできる。
【００５０】
上述の実施形態の衣服用ハンガーを用いれば、以下の効果を発揮する。
衣服用ハンガーの肩掛部２０と横桟部３０のと間に１対の連結部５０で肩掛部２０に連結した挟み棒部４０を設け、連結部５０の中間部を屈曲し、１対の連結部５０の中間部の離間距離を固定部６０で調整出来るようにしたので、衣服を挟み棒部４０と横桟部３０との間に挟むことが出来る。
また、衣服が挟み棒部４０と横桟部３０とに挟まれた姿勢で、固定部６０が離間距離を所定の距離に固定することをできる様にしたので、衣服がずれ落ちるのを確実に防止できる。
また、固定部６０を被係合部６３を持つ第一固定部６１と係合部６４を持つ第二固定部６２とで構成し、被係合部６３と係合部６４とを係合できる様にしたので、挟み棒部４０が横桟部３０からはなれるのを防止できる。
第二固定部６２に左右に連なった複数の係合部を設けたので、連結部５０の中間部の離間距離を段階的に調整できる。
被係合部６３を爪状の形状とし、係合部を溝状の形状としたので、簡易な構造で第一固定部６１と第二固定部６２とを確実に係合できる。
被係合部６３を窪み形状とし、係合部を固まり状の形状としたので、簡易な構造で第一固定部６１と第二固定部６２とを確実に係合できる。
衣服用ハンガーの肩掛部２０と横桟部３０のと間に１対の挟み棒部４０を設け、肩掛部２０に一端を連結した押さえ部の端部で１対の挟み棒部４０を押さえつける様にしたので、衣服を挟み棒部４０と横桟部３０との間に挟むことが出来る。
また、衣服が挟み棒部４０と横桟部３０とに挟まれた姿勢で、押さえ部７０が挟み棒部４０を横桟部３０に押さえつける様にしたので、衣服がずれ落ちるのを確実に防止できる。
また、押さえ部７０の下端部を挟み棒部４０に設けた窪み部４１に嵌まる様にしたので、挟み棒部４０がずれるのを防止できる。
また、押さえ部７０の下端部を挟み棒部４０に設けた左右方向に連なった複数の窪み部４１に嵌まる様にしたので、挟み棒部４０を横桟部３０に押し付ける力を段階的に調整できる。
衣服用ハンガーの肩掛部２０と横桟部３０のと間に１対の連結部５０で肩掛部２０に連結した挟み棒部４０を設け、連結部５０の中間部を屈曲し、肩掛部２０に一端を連結した押さえ部の端部で挟み棒部４０を押さえつける様にしたので、衣服を挟み棒部４０と横桟部３０との間に挟むことが出来る。
また、衣服が挟み棒部４０と横桟部３０とに挟まれた姿勢で、押さえ部７０が挟み棒部４０を横桟部３０に押さえつける様にしたので、衣服がずれ落ちるのを確実に防止できる。
また、押さえ部７０の下端部を挟み棒部４０に設けた窪み部４１に嵌まる様にしたので、挟み棒部４０がずれるのを防止できる。
また、押さえ部７０の下端部を挟み棒部４０に設けた左右方向に連なった複数の窪み部４１に嵌まる様にしたので、挟み棒部４０を横桟部３０に押し付ける力を段階的に調整できる。
また、上記の構造としたので、射出成形による樹脂の一体構造とすることが容易にできる。
【００５１】
本発明は以上に述べた実施形態に限られるものではなく、発明の要旨を逸脱しない範囲で各種の変更が可能である。
第一乃至第五の実施形態にかかる衣服ハンガーを説明したがこれに限定されず、例えば、第一の実施形態又は第二の実施形態にかかる衣服ハンガーと第五の実施形態に係る衣服用ハンガーとを組合わせたものであってもよい。
また、射出成形により製造された一体構造であるとして説明したがこれに限定されず、例えば、複数の部品を組合わせたものであってもよい。
【図面の簡単な説明】
【００５２】
【図１】本発明の第一の実施形態に係る衣服用ハンガーの正面図である。
【図２】本発明の第一の実施形態に係る衣服用ハンガーのＡ−Ａ断面図である。
【図３】本発明の第二の実施形態に係る衣服用ハンガーの正面図である。
【図４】本発明の第二の実施形態に係る衣服用ハンガーのＢ−Ｂ断面図である。
【図５】本発明の第三の実施形態に係る衣服用ハンガーの正面図である。
【図６】本発明の第三の実施形態に係る衣服用ハンガーのＣ−Ｃ断面図である。
【図７】本発明の第四の実施形態に係る衣服用ハンガーの正面図である。
【図８】本発明の第四の実施形態に係る衣服用ハンガーの部分正面図である。
【図９】本発明の第五の実施形態に係る衣服用ハンガーの正面図である。
【符号の説明】
【００５３】
１０    フック部
２０    肩掛部
２１    部分
３０    横桟部
４０    挟み棒部
４１    窪み部
５０    連結部
５１    上連結部
５２    下連結部
６０    固定部
６１    第一固定部
６２    第二固定部
６３    被係合部
６４    係合部
７０    押さえ部
７１    下端部
【図１】
2006223499.tif 000003
【図２】
2006223499.tif 000004
【図３】
2006223499.tif 000005
【図４】
2006223499.tif 000006
【図５】
2006223499.tif 000007
【図６】
2006223499.tif 000008
【図７】
2006223499.tif 000009
【図８】
2006223499.tif 000010
【図９】
2006223499.tif 000011